(57)【特許請求の範囲】
【請求項１】
光源と、
第１面およびこれと反対の第２面と、これら第１および第２面を繋ぎ、上記光源と正対することにより上記光源からの光が入射する端面と、を有する平板状の、透明な導光体と、
上記第２面に設けられた背景シートと、
を具備する静止画像表示装置であって、
上記第２面は、光を乱反射する粗面領域、および、光を透過または反射する滑面領域を含んでおり、
上記背景シートは、高い反射率を示す高反射率領域、および、低い反射率を示す低反射率領域を含んでおり、
上記粗面領域は上記高反射率領域に配置されており、
上記滑面領域は上記低反射率領域に配置されており、
上記粗面領域によって静止画像が表示される、静止画像表示装置。
【請求項２】
上記高反射率領域は白色であり、上記低反射率領域は黒色である、請求項１に記載の静止画像表示装置。
【請求項３】
上記第１面に設けられた、通過する光を減衰させるための減衰シートを、さらに具備する、請求項１に記載の静止画像表示装置。
【発明の詳細な説明】
【技術分野】
【０００１】
本発明は、機器を操作するための透明なタッチパネルに重ねて配置され、予め決められた文字などの静止画像を当該タッチパネルに映し出すために用いられる、静止画像表示装置に関する。
【背景技術】
【０００２】
図３および図４は、従来の静止画像表示装置の構造を示している。図３に示すように、静止画像表示装置９０は、樹脂からなるケース９１を具備している。当該ケース９１は、順に、背景シート９２、導光体９３、および、減衰シート９４を収容している。背景シート９２は、一様に小さな反射率を有する。導光体９３は透明材料からなり、静止画像が設けられた下面を有している。具体的には、当該下面は、粗面領域９３ａと、滑面領域９３ｂとを含んでいる。粗面領域９３ａは、例えばエッチング処理などにより形成された凹凸を有しており、文字などの静止画像を表現する。一方、滑面領域９３ｂは、滑らかな表面を有しており、当該静止画像の背景としての役割を果たす。減衰シート９４は、所定の透過率を有する。
【０００３】
静止画像表示装置９０は、さらに、光源回路基板９５とＬＥＤ９６からなる光源を具備している。光源は、導光体９３の端面に設けられている。
【０００４】
次に、図４を参照して、静止画像表示装置９０の動作を説明する。ＬＥＤ９６は、照明光Ｌｓを発する。照明光Ｌｓは、導光体９３の端面から導光体９３の内部へ進行し、その後、導光体９３の上面および下面で全反射されながら、導光体９３の内部の全域へ伝播する。粗面領域９３ａに到達した照明光Ｌｓは、乱反射される。これにより、照明光Ｌｓの一部は、減衰シート９４を透過して強い出射光Ｌａとなる。一方、滑面領域９３ｂに到達した照明光Ｌｓは、乱反射を受けない。このため、照明光Ｌｓの極めて少ない一部が、減衰シート９４を透過して弱い出射光Ｌｂとなる。強い出射光Ｌａと弱い出射光Ｌｂとが作り出すコントラストが、ユーザに静止画像を認識させる。
【発明の開示】
【発明が解決しようとする課題】
【０００５】
強い出射光Ｌａと弱い出射光Ｌｂとの強度の差が小さい場合、ユーザによる認識が難しくなることは明白である。静止画像表示装置９０が出射する強い出射光Ｌａと弱い出射光Ｌｂとの強度の差は、充分に大きいとは言えない。ゆえに、静止画像表示装置９０には、ユーザによる静止画像の認識のしやすさの点において、改善の余地がある。
【０００６】
したがって、本発明は、強度差の大きな強い出射光Ｌａおよび弱い出射光Ｌｂを出射することによって、ユーザによって認識されやすい静止画像を表示することができる、静止画像表示装置を提供することを目的とする。
【課題を解決するための手段】
【０００７】
本発明が提供する静止画像表示装置は、光源と、第１面およびこれと反対の第２面と、これら第１および第２面を繋ぎ、上記光源と正対することにより上記光源からの光が入射する端面と、を有する平板状の、透明な導光体と、上記第２面に設けられた背景シートと、を具備する静止画像表示装置であって、上記第２面は、光を乱反射する粗面領域、および、光を透過または反射する滑面領域を含んでおり、上記背景シートは、高い反射率を示す高反射率領域、および、低い反射率を示す低反射率領域を含んでおり、上記粗面領域は上記高反射率領域に配置されており、上記滑面領域は上記低反射率領域に配置されており、上記粗面領域によって静止画像が表示される。
【０００８】
好ましくは、上記高反射率領域は白色であり、上記低反射率領域は黒色である。
【０００９】
好ましくは、静止画像表示装置は、上記第１面に設けられた、通過する光を減衰させるための減衰シートを、さらに具備する。
【発明を実施するための最良の形態】
【００１０】
図１および図２は、本発明に係る静止画像表示装置の実施形態を示している。図１に示すように、静止画像表示装置１０は、樹脂からなるケース１１を具備している。当該ケース１１は、順に、背景シート１２、導光体１３、および、減衰シート１４を収容している。
【００１１】
背景シート１２は、特徴的に、高反射率領域１２ａと、低反射率領域１２ｂとを含んでいる。高反射率領域１２ａは、相対的に高い反射率を有し、典型的には白色である。一方、低反射率領域１２ｂは、相対的に低い反射率を有し、典型的には黒色である。高反射率領域１２ａおよび低反射率領域１２ｂは、それぞれ、後述する粗面領域１３ａおよび滑面領域１３ｂに対応する箇所に設けられている。
【００１２】
導光体１３は透明材料からなり、静止画像が設けられた下面を有している。具体的には、当該下面は、粗面領域１３ａと、滑面領域１３ｂとを含んでいる。粗面領域１３ａは、例えばエッチング処理などにより形成された凹凸を有しており、文字などの静止画像を表現する。一方、滑面領域１３ｂは、滑らかな表面を有しており、当該静止画像の背景としての役割を果たす。
【００１３】
減衰シート１４は、比較的小さな、所定の透過率を有する。減衰シート１４は、後述する光源が点灯しない時に、背景シート１２および導光体１３に設けられた静止画像が、ユーザによって見られること防ぐためのものである。
【００１４】
静止画像表示装置１０は、さらに、光源回路基板１５とＬＥＤ１６からなる光源を具備している。光源は、導光体１３の端面に設けられている。
【００１５】
次に、図２を参照して、静止画像表示装置１０の動作を説明する。ＬＥＤ１６は、照明光Ｌｓを発する。照明光Ｌｓは、導光体１３の端面から導光体１３の内部へ進行し、その後、導光体１３の上面および下面で全反射されながら、導光体１３の内部の全域へ伝播する。粗面領域１３ａに到達した照明光Ｌｓは、乱反射される。これにより、照明光Ｌｓの一部は、減衰シート１４を透過して強い出射光Ｌａとなる。この時、当該粗面領域１３ａの下に設けられた高反射率領域１２ａは、照明光Ｌｓを上方に反射することにより、強い出射光Ｌａの強度をさらに大きくしている。
【００１６】
一方、滑面領域１３ｂに到達した照明光Ｌｓは、乱反射を受けない。さらに、当該滑面領域１３ｂの下に設けられた低反射率領域１２ｂは、照明光Ｌｓを吸収する傾向がある。このため、照明光Ｌｓの極めて少ない一部が、上方へ反射される。当該反射光は、比較的小さな透過率を有する減衰シート１４を透過する際に、ほとんどのエネルギーを失う。こうして、反射光は、無視できるほどのエネルギーを持つ弱い出射光Ｌｂとなる。
【００１７】
以上の構成によれば、強い出射光Ｌａと弱い出射光Ｌｂの強度の差は大きいものとなる。したがって、表示される静止画像のコントラストは良好になり、ユーザは静止画像表示装置１０に表示された静止画像を、容易に認識できる。
【００１８】
本発明は、上述した実施形態に限定されない。本発明の各部の具体的な構成は、適宜に変更可能である。例えば、高反射率領域１２ａは、反射率が相対的に高いという条件さえ満たせばよく、白色に代えて、銀色や淡黄色などでもよい。低反射率領域１２ｂは、反射率が相対的に低いという条件さえ満たせばよく、黒色に代えて、紺色や深緑色などでもよい。
【図面の簡単な説明】
【００１９】
【図１】本発明の実施形態に係る静止画像表示装置の構造を示す分解斜視図である。
【図２】本発明の実施形態に係る静止画像表示装置の構造を示す断面図である。
【図３】従来の静止画像表示装置の構造を示す分解斜視図である。
【図４】従来の静止画像表示装置の構造を示す断面図である。
【符号の説明】
【００２０】
１０  静止画像表示装置
１１  ケース
１２  背景シート
１２ａ  高反射率領域
１２ｂ  低反射率領域
１３  導光体
１３ａ  粗面領域
１３ｂ  滑面領域
１４  減衰シート
１５  光源回路基板
１６  ＬＥＤ
【図１】
0005000423.tif 000002
【図２】
0005000423.tif 000003
【図３】
0005000423.tif 000004
【図４】
0005000423.tif 000005